(57)【特許請求の範囲】
【請求項１】
筐体と、
前記筐体に内蔵され、レンズと撮像素子とを備えた撮像部と、
前記筐体を構成し、前記撮像部の一部が露出可能な第１の開口部を有する前面パネルと、
前記撮像部を保持する保持枠と、を備え、
前記保持枠は、
前記前面パネルにおいて前記撮像部の一部が露出する第１面の裏面である第２面に、前記第１面側から視認できないように配され、かつ、
前記撮像部が挿通される第２の開口部を有しており、前記前面パネルに係合により装着されている撮像装置。
【請求項２】
前記前面パネルは、前記第２面に、前記第１の開口部よりも径大の第１の壁部が形成され、
前記保持枠は、前記第２の開口部の縁部に第２の壁部が形成され、
前記保持枠が前記前面パネルに装着されている状態において、前記第１の壁部と前記第２の壁部が当接する、
請求項１に記載の撮像装置。
【請求項３】
前記保持枠に形成された前記第２の壁部と、前記前面パネルの前記第１の壁部が、前記レンズの光軸に対して同心円状に構成されている、請求項２に記載の撮像装置。
【請求項４】
前記保持枠は、
前記前面パネルの前記第２面に隣接する第３面に形成されている凹部に係合可能な突起を備えた、
請求項１から３のいずれかに記載の撮像装置。
【請求項５】
前記前面パネルの前記第１面に、撮像部の周囲を覆うとともに光軸方向に突出したカバー部を、前記パネルに一体に備えた、
請求項１から３のいずれかに記載の撮像装置。
【請求項６】
前記筐体内に配され、前記レンズの光軸方向に光を照射する発光体と、
前記発光体の光軸上に配されている補助光カバーとを、さらに備え、
前記補助光カバーは、前記第２面と前記保持枠とによって挟持されている、
請求項１から３のいずれかに記載の撮像装置。
【請求項７】
前記撮像部は、前記前面パネルの前記第２面側からネジで固定される、
請求項４に記載の撮像装置。
【請求項８】
前記第３面の裏面である第４面を少なくとも覆うことが可能な、上面カバーをさらに備えた、
請求項１から３のいずれかに記載の撮像装置。
【請求項９】
筐体と、
前記筐体に内蔵され、レンズと撮像素子とを備えた撮像部と、
前記筐体を構成し、前記撮像部の一部が露出可能な第１の開口部を有する前面パネルと、
前記前面パネルにおいて前記撮像部の一部が露出する第１面の裏面である第２面に、前記第１面側から視認できないように配され、かつ、前記撮像部が挿通される第２の開口部を有しており、前記前面パネルに係合により装着されている保持枠と、を備えた撮像装置の組立方法であって、
少なくとも撮像部が露出する前面パネルと、前記前面パネルに対向して配される背面カバーと、レリーズスイッチを備えた上面カバーとを用意し、
前記撮像部に上面カバーを固定する工程（Ａ）と、
前記前面パネルに保持枠を固定する工程（Ｂ）と、
前記工程（Ａ）で組み立てたユニットに、前記工程（Ｂ）で組み立てたユニット、及び前記背面カバーを固定する工程（Ｃ）とを備えた、
撮像装置の組立方法。
【発明の詳細な説明】
【技術分野】
【０００１】
本発明は、デジタルスチルカメラなどの撮像装置に関する。また、そのような撮像装置の組立方法に関する。
【背景技術】
【０００２】
近年、デジタルスチルカメラなどの撮像装置は、高解像度化とともに小型軽量化が進んでいる。
【０００３】
図１４は、従来の撮像装置の外観を示す斜視図である。
【０００４】
図１４に示すように、従来の撮像装置は、レンズや撮像素子が内蔵された撮像部１０５が、一部が露出されて撮像装置１００に内蔵されている。また、撮像部１０５の周囲には、飾りリング１０１が配されている。撮像部１０５は、複数のネジ１０６（図１３参照）によって、撮像装置１００の前面パネルに固定されている。
【０００５】
図１５は、飾りリング１０１の構成を示す分解斜視図である。図１５に示すように、飾りリング１０１は、金属製のカバーリング１０２と、両面テープ１０３と、樹脂製の保持リング１０４とから構成されている。このような構成において、カバーリング１０２を保持リング１０４に両面テープ１０３で貼着させることで、飾りリング１０１が完成する。なお、保持リング１０４において、両面テープ１０３の貼着面の裏面には、複数の係合爪１０８が配されている。
【０００６】
飾りリング１０１を撮像装置１００に固定する際は、図１３に示すように、保持リング１０４に形成されている係合爪１０８（図１５参照）を、撮像装置１００に形成されている係合孔に係合させる。これにより、飾りリング１０１によって、ネジ１０６を覆い隠すことができる。
【０００７】
上記のような撮像装置は、図１６に示すフローチャートに基づいて組み立てることができる。まず、前面カバー１２２の内面に、発光部１０９の外郭である補助光カバーを、両面テープで固定する（ステップＳ１１）。
【０００８】
次に、撮像部１０５を、前面カバー１２２の内面側に仮固定し、前面カバー１２２の表面側からネジ１０６で本固定する（ステップＳ１２）。
【０００９】
次に、前面カバー１２２の内面に、回路基板やバッテリーユニットが搭載されたフレームを、ネジで固定する（ステップＳ１３）。
【００１０】
次に、上部カバー１２１を仮固定し（ステップＳ１４）、背面ユニット（不図示）を仮固定し（ステップＳ１５）、側部カバー１２３を仮固定し、ネジ１２４で固定する（ステップＳ１６）。
【００１１】
最後に、飾りリング１０１を、前面カバー１２２に固定する（ステップＳ１７）。これにより、撮像装置１００が完成する。
【００１２】
なお、上記のように撮像部を撮像装置の前面側からネジで固定する構成が、例えば特許文献１の図１に開示されている。
【特許文献１】特開２００４−２６０７０４号公報（図１）
【発明の開示】
【発明が解決しようとする課題】
【００１３】
しかしながら従来の構成では、飾りリング１０１は、カバーリング１０２と両面テープ１０３と保持リング１０４とから構成されているため、部品点数が多く、コストアップになるという問題点があった。
【００１４】
本発明は、上記問題点に鑑み、部品点数が少なく、低コストで実現することができる撮像装置を提供することを目的とする。また、そのような撮像装置の組立方法を提供することを目的とする。
【課題を解決するための手段】
【００１５】
上記課題を解決するために本発明の撮像装置は、筐体と、前記筐体に内蔵され、レンズと撮像素子とを備えた撮像部と、前記筐体を構成し、前記撮像部の一部が露出可能な第１の開口部を有する前面パネルと、前記撮像部を保持する保持枠と、を備え、前記保持枠は、前記前面パネルにおいて前記撮像部の一部が露出する第１面の裏面である第２面に、前記第１面側から視認できないように配され、かつ、前記撮像部が挿通される第２の開口部を有しており、前記前面パネルに係合により装着されている。
【００１６】
また、本発明の撮像装置の組立方法は、筐体と、前記筐体に内蔵され、レンズと撮像素子とを備えた撮像部と、前記筐体を構成し、前記撮像部の一部が露出可能な第１の開口部を有する前面パネルと、前記前面パネルにおいて前記撮像部の一部が露出する第１面の裏面である第２面に、前記第１面側から視認できないように配され、かつ、前記撮像部が挿通される第２の開口部を有しており、前記前面パネルに係合により装着されている保持枠と、を備えた撮像装置の組立方法であって、少なくとも撮像部が露出する前面パネルと、前記前面パネルに対向して配される背面カバーと、レリーズスイッチを備えた上面カバーとを用意し、前記撮像部に上面カバーを固定する工程（Ａ）と、前記前面パネルに保持枠を固定する工程（Ｂ）と、前記工程（Ａ）で組み立てたユニットに、前記工程（Ｂ）で組み立てたユニット、及び前記背面カバーを固定する工程（Ｃ）とを備えたものである。
【発明の効果】
【００１７】
本発明によれば、部品点数が少なく、低コストの撮像装置を実現することができる。
【発明を実施するための最良の形態】
【００１８】
（実施の形態１）
以下の説明では、撮像装置の一例として、デジタルスチルカメラを挙げて説明する。
【００１９】
〔１．撮像装置の構成〕
図１及び図２は、撮像装置の外観構成を示す斜視図である。図１は、撮像装置においてレンズが配されている面側（以下、前面と記す）を示している。図２は、撮像装置において表示部が搭載されている面側（以下、背面と記す）を示している。なお、本図は模式的に図示しており、便宜上、一部の構成については図示を省略してある。
【００２０】
図１及び図２に示すように、撮像装置１は、撮像部５１と、レリーズスイッチ３と、ズームスイッチ４と、電源スイッチ５と、ストロボ６と、表示部７と、カーソルキー８と、ボタン９及び１０と、発光部１１とを備えている。撮像部５１とストロボ６と発光部１１は、前面（被写体側の面）に配されている。また、レリーズスイッチ３とズームスイッチ４と電源スイッチ５は、上面に配されている。また、表示部７とカーソルキー８とボタン９及び１０は、背面に配されている。
【００２１】
図１に示すように撮像部５１は、フォーカスレンズやズームレンズなどから構成されるレンズ部や、レンズ部を通して入射される光学画像を撮像し、電気信号（映像信号）を出力する撮像素子などが内蔵されている。
【００２２】
レリーズスイッチ３は、撮影者によって押圧操作されることで、撮像素子で撮像されている電気信号を映像信号として取り込むことができる。
【００２３】
ズームスイッチ４は、レリーズスイッチ３に対して略同軸に配され、レリーズスイッチ３の周方向に回転自在に配されている。ズームスイッチ４を回転操作することで、撮像部５１内のズームレンズを光軸方向へ移動させ、撮像素子に結像される光学画像の拡大または縮小を行うことができる。なお、ズーム動作は、ズームレンズを移動させる光学ズームに限らず、映像信号を信号処理で拡大または縮小する電子ズームも含まれる。
【００２４】
電源スイッチ５は、スライドスイッチで構成され、一方向へスライドさせると電源ＯＮ、他方向へスライドさせると電源ＯＦＦになるように操作することができる。
【００２５】
ストロボ６は、レリーズスイッチ３の動作と同時に閃光を発光することができる。ストロボ６の発光は、撮像装置１内における任意の設定によって、発光／非発光を切り換えることができる。
【００２６】
発光部１１は、発光ダイオードが内蔵されており、セルフタイマー撮影時などに点灯あるいは点滅する。
【００２７】
図２に示すように、表示部７は、撮像中の画像（所謂スルー画像）、メニュー画面ん、電池残量や現在日時や撮影可能枚数などの各種情報などを表示することができる。本実施の形態では、表示部７は、液晶パネルで構成したが、有機ＥＬ素子やその他の表示素子で構成してもよい。なお、撮像装置１に対する表示部７の固定方法については、後ほど詳しく説明する。また、表示部７と撮像部５１は、撮像装置１において互いに対向した側面に配されている。
【００２８】
カーソルキー８は、上下左右方向に指示操作が可能であり、上・下・左・右の各操作部には、所定の機能が割り当ててある。割り当てられている機能は、例えば、ストロボ６の発光／非発光の切り替え、セルフタイマー機能のＯＮ／ＯＦＦ切り替え、ブラケット撮影の設定などである。また、表示部７にメニュー画面を表示させた時に、メニュー内に表示されているカーソルを所望の方向へ移動させるよう操作することもできる。
【００２９】
ボタン９及び１０は、例えば表示部７に表示される前記各種情報の表示／非表示を切り替えることができたり、その他様々な機能を割り当てることができる。なお、本実施の形態では、ボタン９及び１０は２個としているが、この数個に限定されない。
【００３０】
また、撮像装置１は、上面カバー２５と、前面カバー２６と、背面カバー２７と、側面カバー２８とでケーシングされている。なお、前面カバー２６は、撮像装置１の底面の一部をも覆っている。また、前面カバー２６において撮像部５１が露出している面を「第１面」と定義し、第１面の裏面を「第２面」と定義し、リブ３６（図３Ａ参照）の底面を「第３面」と定義し、リブ３６の表面（第３面の裏面）を「第４面」と定義する。
【００３１】
各カバーの組み立ての概要は、カメラユニット５０の上面にトップユニット７０を取り付け、カメラユニット５０の前面に前面カバー２６を取り付け、カメラユニット５０の背面に背面カバー２７を取り付け、カメラユニット５０の左右両側面に側面カバー２８を取り付ける。組み立ての際、上面カバー２５と前面カバー２６と側面カバー２８とは、ネジ２９によって共締めされて固定される。
【００３２】
〔２．撮像装置１の内部構造〕
〔２−１．前面ユニット２０の構成〕
前面ユニット２０は、アルミニウムなどの金属で構成されている前面パネル３０と、樹脂で構成されている保持枠４０と、透明樹脂で構成されている補助光カバー６０とから構成されている。以下、前面ユニット２０を構成している各部品について説明する。
【００３３】
図３Ａは、前面パネル３０の構成を示す斜視図である。なお、図３Ａは前面パネル３０を内側から見た状態を示している。図３Ｂは、図３ＡにおけるＺ−Ｚ部分の断面図である。図３Ｃは、図３ＢにおけるＹ部の拡大断面図である。なお、図３Ｃにおいて、構造を明確に表現するために、前面パネル３０と保持枠４０とを分離して表記した。
【００３４】
前面パネル３０において、開口部３２は、撮像装置１に内蔵されている撮像部（後述）の一部を外部に露出させるためのものである。本実施の形態の撮像部は、沈胴式のユニットを搭載しているため、撮像装置の電源ＯＮ時や撮影時などでは、開口部３２を介して撮像部が突出する。
【００３５】
カバー部３１は、略円形の開口部３２の周囲に形成されている凹形状部分（前面パネル３０の表面側から見た場合は凸形状）である。また、図３Ｃに示すように、カバー部３１と前面パネル３０の内面（第２面）との境界には、壁部３１ａが形成されている。
【００３６】
壁部３１ａは、前面パネル３０の内面に対して略直交（すなわち、光軸に対して略平行）するように形成されている。また、壁部３１ａは、カバー部３１の外周に沿って連続的に形成されている。壁部３１ａは、保持枠４０を前面パネル３０に装着した際に壁部４１ａが当接し、保持枠４０を前面パネル３０に対して位置決めすることができる。なお、本実施の形態では、壁部３１ａは、カバー部３１の外周に沿って連続的に形成されているが、間欠的に形成されていてもよい。少なくとも開口部４１の中心と開口部３２の中心とが略一致するように、壁部４１ａを支持することが可能な部位に形成されていればよい。
【００３７】
リブ３６は、前面パネル３０の上部近傍において、主平面に対して略垂直方向に立設されている。また、リブ３７は、前面パネル３０の底部近傍において、主平面に対して略垂直方向に立設されている。なお、「主平面」とは、前面パネル３０において開口部３２が形成され、かつ前面パネル３０をカメラユニット５０に組み付けた際にカメラユニット５０に対向する面である。
【００３８】
溝部３３は、リブ３６に形成され、保持枠４０に形成されている突部４３が嵌合される。つまり、保持枠４０を前面パネル３０に固定させる際に、壁部３１ａと壁部４１ａとを当接させて位置決めするだけでは、保持枠４０が円周方向へ回転してしまう可能性がある。そこで本実施の形態では、保持枠４０を前面パネル３０に固定させる際に、溝部３３に突部４３を嵌合させることで、保持枠４０が円周方向へ回転しないように位置決めすることができる。
【００３９】
孔部３４は、リブ３６に形成され、保持枠４０に形成されている突部４２が係合される。孔部３５は、リブ３７に形成され、保持枠４０に形成されている突部４４が係合される。つまり、孔部３４に突部４２を係合させ、孔部３５に突部４４を係合させることにより、保持枠４０を前面パネル３０に固定することができる。
【００４０】
凹部３８は、リブ３６に形成されている。また、補助光用の孔部３９は、前面パネル３０の主面に形成されている。
【００４１】
図４は、保持枠４０の構成を示す斜視図である。図４に示すように、保持枠４０には、撮像部が挿通される略円形の開口部４１と、開口部４１の縁部に形成されている壁部４１ａと、孔部３４に係合される突部４２と、溝部３３に嵌合される突部４３と、孔部３５に係合される突部４４と、撮像部がネジで固定される３カ所のネジ穴４５と、補助光カバー６０を押さえる押圧部４６とを備えている。また、保持枠４０は、樹脂成形などで実現することができる。壁部４１ａは、開口部４１の縁部に沿ってほぼ全周に形成されかつ保持枠４０から光軸方向に突出するように形成されている部分における、外側の面に相当する。なお、壁部４１ａは、開口部４１の縁部に沿って間欠的に形成されていてもよい。
【００４２】
図６は、前面ユニット２０の構成を示す分解斜視図である。
【００４３】
図６において、補助光カバー６０は、発光部１１（図１参照）の一部品であり、撮像装置１に内蔵されている発光ダイオード（不図示）から発光される光の光軸上に配置されている。補助光カバー６０は、上面に突部（不図示）が形成され、前面パネル３０に形成されている凹部３８に嵌合されて位置決めされる。また、補助光カバー６０の一部は、前面パネル３０に形成されている孔部３９に嵌合される。また、補助光カバー６０の下端近傍は、保持枠４０が前面パネル３０に装着されることで、保持枠４０に形成されている押圧部４６によって押圧される。これにより、補助光カバー６０は、上端近傍において位置決めされ、下端近傍において押圧保持される。
【００４４】
〔２−２．カメラユニット５０の構成〕
図８は、カメラユニット５０の構成を示す分解斜視図である。図８に示すように、カメラユニット５０は、撮像部５１とフレーム５２とから構成されている。
【００４５】
撮像部５１は、レンズや撮像素子などが内蔵され、レンズを保持した鏡筒が光軸方向に移動可能（いわゆる沈胴式）に配されている。撮像部５１の前面には、開閉動作することでレンズを覆うことができるレンズバリア５５が配されている。撮像装置の電源をＯＮまたはＯＦＦにすることで、レンズバリア５５を電動開閉させることができる。また、撮像部５１は、略円筒形状となったケースの円筒面上に、孔部５７ａ及び５７ｂが形成されているフランジを備えている。本実施の形態では、孔部は３カ所に形成されている。また、撮像部５１のケース上には、フレーム５２が係合される被係合部５３が配されている。
【００４６】
フレーム５２は、回路基板やバッテリーユニットなど（不図示）が保持されている。また、フレーム５２には、孔部５８が形成されている。また、フレーム５２の端部には、撮像部５１に配されている被係合部５３に係合可能な係合部５４が配されている。本実施の形態では、被係合部５３は凹部で構成し、係合部５４は爪部で構成し、両者を係合させることができる。また、係合部５４の対向部分には、係合部５４とほぼ同一構成の係合部５６が形成されており、撮像部５１の下端に配されている被係合部（不図示）と係合させることができる。
【００４７】
〔３．撮像装置１の組立方法〕
図５は、撮像装置１の組立工程を示すフローチャートである。
【００４８】
本実施の形態の撮像装置の組立工程は、前面ユニットの作製、本体ユニットの作製、ユニット同士の組立、に大きく分けられる。なお、図５に示すように、前面ユニットの作製（ステップＳ１〜Ｓ３）と、本体ユニットの作製（ステップＳ４〜Ｓ６）とは、各々独立した工程となる。以下、各ユニットの作製方法について説明する。
【００４９】
〔３−１．前面ユニットの作製方法〕
まず、図６に示すように、前面パネル３０の内側に、補助光カバー６０を配置させる、この時、補助光カバー６０の一部が孔部３９に嵌合し、突起が凹部３８に嵌合するように配置させる（図５のステップＳ１）。
【００５０】
次に、保持枠４０を前面パネル３０に装着する。装着する際は、保持枠４０の上部を矢印Ａに示す方向へ移動させて、突部４３を溝部３３に嵌合させて位置決めを行い、２カ所の突部４２を２カ所の孔部３４に係合させる。これにより、保持枠４０の上部を前面パネル３０に装着することができる。
【００５１】
次に、保持枠４０の下部を矢印Ｂに示す方向へ移動させて、２カ所の突部４４を２カ所の孔部３５に係合させる。これにより、保持枠４０の下部を前面パネル３０に装着することができる。さらに、図３Ｂ及び図３Ｃに示すように、壁部４１ａを壁部３１ａに対して当接配置させることにより、開口部３２の中心と開口部４１の中心とが一致するように保持枠４０を配置させることができる。以上により、保持枠４０を前面パネル３０に装着することができる（図５のステップＳ２）。このように、保持枠４０は前面パネル３０に装着する際、両面テープやネジなどを必要としない。
【００５２】
保持枠４０を前面パネル３０に装着した時、壁部４１ａを壁部３１ａに対して当接配置させることにより、前面パネル３０の開口部３２と、保持枠４０の開口部４１とが、レンズ光軸上に重なるように配置される。よって、壁部３１ａと壁部４１ａとを当接させるだけで、保持枠４０を前面パネル３０に対して容易にセンタリングすることができるので、組立性を向上させることができる。
【００５３】
また、保持枠４０を前面パネル３０に装着した時、押圧部４６が補助光カバー６０の下端部を支持するように構成されている。よって、補助光カバー６０は、押圧部４６と前面パネル３０の裏面とで挟持されて保持される。なお、図示しないが、補助光カバー６０の上端部と下端部は、保持枠によって保持されている。
【００５４】
なお、突部４４は、弾性変形が可能に構成されている。これにより、突部４４を孔部３５に係合させる際に、突部４４は弾性変形しながらリブ３７上をスライドし、孔部３５において弾性復帰することで、両者を係合させることができる。よって、組立作業性を向上させることができる。組立後の状態を、図７に示す（図５のステップＳ３）。
【００５５】
また、本実施の形態では、壁部３１ａと壁部４１ａとを当接させることで開口部３２の中心と開口部４１の中心とが合うように位置決めしているとともに、溝部３３と突起部４３とを嵌合させることで保持枠４０の円周方向の位置決めを行っているが、壁部３１ａと壁部４１ａのみで位置決めを行ってもよいし、溝部３３と突起部４３のみで位置決めを行ってもよい。
【００５６】
〔３−２．本体ユニットの作製方法〕
まず、図８に示すように、撮像部５１にフレーム５２を装着する。具体的には、フレーム５２を矢印Ｃに示すように移動させて、フレーム５２に配されている係合部５４を、撮像部５１に配されている被係合部５３に係合させるとともに、フレーム５２に配されている係合部５６を、撮像部５１の下端に配されている被係合部（不図示）に係合させる。これにより、撮像部５１にフレーム５２を仮固定させることができる。撮像部５１とフレーム５２とを仮固定させると、孔部５７ａと孔部５８とが、互いに重なるように配置される（図５のステップＳ４）。
【００５７】
次に、図９に示すように、上面カバー２５、レリーズスイッチ３、および電源スイッチ５などが配されているトップユニット７０を、矢印Ｄに示す方向へ移動させて、カメラユニット５０に装着し仮固定する（図５のステップＳ５）。これにより、図１０に示すように本体ユニット８０が完成する（図５のステップＳ６）。
【００５８】
〔３−３．ユニット同士の組立方法〕
次に、図１１に示すように、本体ユニット８０（図５のステップＳ６で完成）を前面ユニット２０（図５のステップＳ３で完成）に取り付ける。この時、前面ユニット２０の両端部に配されている爪部２１を、本体ユニット８０の被係合部（不図示）に係合させることで、本体ユニット８０と前面パネル２０とを仮固定することができる。本体ユニット８０を前面ユニット２０に仮固定した状態を図１２に示す。
【００５９】
図１２は、前面ユニット２０が仮固定されている本体ユニット８０の構成を示しており、背面側から見た図である。図１２において、撮像部５１の周囲３カ所に配されているネジ穴４５に、本体ユニット８０の背面側（図１２の紙面方向）からネジを螺合させることができる。この時、ネジは、撮像部５１の孔部５７ａ及び５７ｂ（もう１カ所形成されているが不図示），フレーム５２の孔部５８を挿通して、ネジ穴４５に螺合される。これにより、本体ユニット８０と前面ユニット２０とを完全に固定することができる（図５のステップＳ７）。
【００６０】
次に、液晶ディスプレイなどの表示部などが搭載されている背面ユニット（図２の背面カバー２７を含むユニット）と、側面カバー２８とを、本体ユニット８０に装着し、ネジ２９で固定する（図５のステップＳ８）。
【００６１】
次に、本体ユニット８０の底面に底面カバー（不図示）を装着し、ネジで固定する（図５のステップＳ９）。
【００６２】
以上のように組み立てることで、図１及び図２に示すような撮像装置が完成する。
【００６３】
〔４．実施の形態の効果、他〕
以上のように本実施の形態によれば、カバー部３１を前面パネル３０に一体成形してあるため、部品点数を削減できるとともに、組立工数を削減することができる。具体的には、従来必要だったカバーリングや両面テープが不要となるため、これらの部品点数を削減することができるとともに、両面テープの貼着工程や、カバーリングを前面パネルへ装着させるための工程が不要となる。
【００６４】
また、撮像装置内に内蔵される部品やユニットを、全て、前面パネル３０の内側において組み付けることができるため、組み立てが簡単になる。つまり、従来は、前面パネルの内側に撮像ユニットを仮固定し、前面ユニットの外側からネジで固定していたため、製造工程において、前面パネルを表裏反転させる工程が必要となる。本実施の形態の組み立て工程は、前面パネル３０の表面側にアクセスして組み付ける部品やユニットが無いため、表裏反転工程が不要である。
【００６５】
また、補助光カバー６０を、保持枠４０を前面パネル３０に固定させる際に、保持枠４０の押圧部４６で押圧保持する構成としたので、補助光カバー６０を前面パネル３０に固定させるための特別な構成が不要である。従来は接着剤で固定していたが、本実施の形態の構成では接着剤が不要となり、コストダウン、組み立てを簡素化することができる。
【００６６】
また、撮像部５１はフレーム５２に仮固定してから、ネジで本固定しているため、組立性を向上させることができる。
【００６７】
また、保持枠４０を前面パネル３０に固定する際、突部と孔部との係合により固定させているため、接着剤などが不要なので、低コストに実現することができる。また、突部と孔部との係合部分は、上部カバー２５で覆い隠されるため、品格を向上させることができる。
【００６８】
また、前面ユニット２０の組立工程（図５のステップＳ１〜Ｓ３）と、本体ユニット８０の組立工程（図５のステップＳ４〜Ｓ６）とを、各々独立した工程にしているため、製造管理を容易に行うことができる。つまり、同一機種で数種の本体デザイン（色や模様など）が存在する撮像装置の場合、本体デザインごとに需要がばらつくことが多い。従来のように、組み立て開始から完成まで一貫して行われる工程では、本体デザインごとの需要供給バランスを監視しながら量産しないといけないため、製造管理が難しい。製造管理が適切でないと、特定のデザインの機種については在庫が多くなってしまうことがある。これを防ぐために、受注を受けてから撮像装置の製造を一から開始することも考えられる。しかし、そのような方法では、受注に対して素早く対応することができない。
【００６９】
一方、本実施の形態では、本体ユニット８０を本体デザインに関係なく共通した仕様とし、前面カバー２６及び背面カバー２７のデザインを数種用意することができる。このような撮像装置を製造する場合、本体ユニット８０を予め量産しておき、本体デザインごとの受注に応じて前面ユニット及び背面ユニットを組み付ける方式に対応することができるため、無駄な供給が少なく、受注に対して素早く対応することができる。
【００７０】
〔付記１〕
本発明の撮像装置は、筐体に、レンズと撮像素子とを備えた撮像部が内蔵され、前記撮像部の一部が前記筐体を構成するパネルの第１面に露出して配されている撮像装置であって、前記パネルの前記第１面の裏面である第２面に配されている保持枠を備え、前記撮像部は、前記保持枠に保持され、前記保持枠は、前記第２面に隣接する第３面に固定されているものである。
【００７１】
〔付記２〕
本発明の撮像装置は、前記保持枠は、前記第３面に形成されている凹部に係合可能な突起を備えた構成としてもよい。この構成により、接着剤などが不要になり、コストダウンすることができる。
【００７２】
〔付記３〕
本発明の撮像装置は、前記パネルの前記第１面に、前記撮像部の周囲を覆うとともに光軸方向に突出したカバー部を、前記パネルに一体に備えた構成としてもよい。この構成により、部品点数を削減しコストダウンすることができるとともに、組立工程を簡素化できる。
【００７３】
〔付記４〕
本発明の撮像装置は、前記筐体内に配され、前記レンズの光軸方向に光を照射する発光体と、前記発光体の光軸上に配されている補助光カバーとを、さらに備え、前記補助光カバーは、前記第２面と前記保持枠とによって挟持されている構成としてもよい。この構成により、補助光カバーを固定するための特別な構成が不要となり、コストダウン、組立工程の簡素化が可能になる。
【００７４】
〔付記５〕
本発明の撮像装置は、前記撮像部は、前記パネルの第２面側からネジで固定される構成としてもよい。この構成により、装置に内蔵される部品を全て第２面側から組み立てることができるため、組立が簡単になる。
【００７５】
〔付記６〕
本発明の撮像装置は、前記第３面の裏面である第４面を少なくとも覆うことが可能な、上面カバーをさらに備えた構成としてもよい。この構成により、凹部と突起の係合部分を覆い隠すことができるため、品格を向上できる。
【００７６】
〔付記７〕
本発明の撮像装置の組立方法は、筐体に、レンズと撮像素子とを備えた撮像部が内蔵され、前記撮像部の一部が前記筐体を構成するパネルの第１面に露出して配されている撮像装置であって、前記パネルの前記第１面の裏面である第２面に配されている保持枠を備え、前記撮像部は、前記保持枠に保持され、前記保持枠は、前記第２面に隣接する第３面に固定されている撮像装置の組立方法であって、少なくとも撮像部が露出する前面パネルと、前記前面パネルに対向して配される背面パネルと、レリーズスイッチを備えた上面パネルとを用意し、前記撮像部に上面パネルを固定する工程（Ａ）と、前記前面パネルに保持枠を固定する工程（Ｂ）と、前記工程（Ａ）で組み立てたユニットに、前記工程（Ｂ）に組み立てた前記前面パネル、及び前記背面パネルを固定する工程（Ｃ）とを備えたものである。
【００７７】
この組立方法によれば、工程（Ａ）で大量に組み立てておくことで、本体デザインごとの受注に応じて前面ユニット及び背面ユニットを組み付ける方式に対応することができるため、無駄な供給が少なく、受注に対して素早く対応することができる。
【産業上の利用可能性】
【００７８】
本発明の撮像装置は、デジタルスチルカメラ、ビデオカメラ、銀塩カメラ、カメラ付携帯端末などに有用である。
【図面の簡単な説明】
【００７９】
【図１】実施の形態１の撮像装置の外観を示す斜視図
【図２】実施の形態１の撮像装置の外観を示す斜視図
【図３Ａ】前面パネルの斜視図
【図３Ｂ】前面パネルの断面図
【図３Ｃ】前面パネルの拡大断面図
【図４】保持枠の斜視図
【図５】実施の形態１における撮像装置の組立工程を示すフローチャート
【図６】前面パネルおよび保持枠の分解斜視図
【図７】保持枠が装着された前面パネルの斜視図
【図８】撮像部およびフレームの分解斜視図
【図９】本体ユニットの分解斜視図
【図１０】本体ユニットの斜視図
【図１１】本体ユニットと前面ユニットの分解斜視図
【図１２】本体ユニットの平面図
【図１３】従来の撮像装置の分解斜視図
【図１４】従来の撮像装置の斜視図
【図１５】従来の飾りリングの分解斜視図
【図１６】従来の撮像装置の組立工程を示すフローチャート
【符号の説明】
【００８０】
１  撮像装置
２  撮像部
２０  前面ユニット
２５  上面カバー
２６  前面カバー
２７  背面カバー
２８  側面カバー
３０  前面パネル
３１  カバー部
３２  開口部
３３  溝部
３４、３５  孔部
３６、３７  リブ
４０  保持枠
４１  開口部
４２、４３、４４  突部
４５  ネジ孔
４６  押圧部
６０  補助光カバー
８０  本体ユニット
【図１】
0004841454.tif 000002
【図２】
0004841454.tif 000003
【図３Ａ】
0004841454.tif 000004
【図３Ｂ】
0004841454.tif 000005
【図３Ｃ】
0004841454.tif 000006
【図４】
0004841454.tif 000007
【図５】
0004841454.tif 000008
【図６】
0004841454.tif 000009
【図７】
0004841454.tif 000010
【図８】
0004841454.tif 000011
【図９】
0004841454.tif 000012
【図１０】
0004841454.tif 000013
【図１１】
0004841454.tif 000014
【図１２】
0004841454.tif 000015
【図１３】
0004841454.tif 000016
【図１４】
0004841454.tif 000017
【図１５】
0004841454.tif 000018
【図１６】
0004841454.tif 000019